(57)【要約】  ネットワーク・ドメインを通知するための方法及びＡＰ（Ａｃｃｅｓｓ  Ｐｏｉｎｔ）は、前記ＡＰセルに進入するユーザ端末（ＵＥ）は通知されるが、前記ＡＰセルを離れるＵＥは通知されない、という問題を克服するために開示される。前記方法は、ＵＥによって送信されたサービス要求メッセージを受信する段階と、前記サービス要求メッセージに基づいて、カレント信号接続がＣＳ（Ｃｉｒｃｕｉｔ  Ｓｗｉｔｃｈｅｄ）接続であると判定する場合、現在前記ＵＥをカバーするネットワーク・ドメインを示すために、通話前にプリセット音声データ・パケットを挿入する段階とを有する。
2011530249.tif 000002
【特許請求の範囲】
【請求項１】
ネットワーク・ドメインを通知する方法であって、
ユーザ端末によって送信されるサービス要求メッセージを受信する段階と、
前記サービス要求メッセージに基づき、カレント信号接続が、回線交換接続であると判定される場合、現在前記ユーザ端末をカバーしているネットワーク・ドメインを示すために、通話前にプリセット音声データ・パケットを挿入する段階と
を有し、
現在前記ユーザ端末をカバーしている前記ネットワーク・ドメインは、アクセス・ポイント・ドメインである
ことを特徴とする方法。
【請求項２】
前記サービス要求メッセージに基づき、前記カレント信号接続が回線交換接続であると判定される場合、現在前記ユーザ端末をカバーしているネットワーク・ドメインを示すために、前記通話前に前記プリセット音声データ・パケットを挿入するステップは、
前記サービス要求メッセージ内のコア・ネットワーク・ドメイン識別子情報要素、又はドメイン指示子情報要素に基づき、前記カレント信号接続が回線交換接続であるかどうかを判断する段階と；
前記カレント信号接続が回線交換接続である場合、制御プレーン上の前記ユーザ端末の呼出信号がレディであるかどうかを、前記制御プレーンがセットアップされた後に確認する段階と；
前記ユーザ端末の前記呼出信号がレディであることを検知した場合、回線交換ユーザ-プレーン・インスタンス状態が、データ転送レディ状態に変化するかどうか、かつダウンリンク・データ・パケットが、ユーザ・プレーン上に出現するかどうかを確認する段階と；
前記回線交換ユーザ-プレーン・インスタンス状態が、前記データ転送レディ状態に変化する場合、又は前記ダウンリンク・データ・パケットが、前記ユーザ・プレーン上に出現する場合、前記ユーザ・プレーンに前記プリセット音声データ・パケットを挿入する段階と
を有することを特徴とする請求項１に記載のネットワーク・ドメインを通知するための方法。
【請求項３】
前記回線交換ユーザ-プレーン・インスタンス状態が前記データ転送レディ状態に変化する場合、又はダウンリンク・データ・パケットが前記ユーザ・プレーン上に出現する場合、前記ユーザ・プレーンに前記プリセット音声データ・パケットを挿入するステップの前に、
格納された音声データ・パケットのペイロードを前記プリセット音声データ・パケットに加工する段階
を更に有することを特徴とする請求項２に記載のネットワーク・ドメインを通知するための方法。
【請求項４】
前記ユーザ・プレーンに前記プリセット音声データ・パケットを挿入するステップは、
サービスがセットアップされるとき、両通信者間でのコーディック・フォーマットのネゴシエーション結果に基づいて、対応するフォーマットの前記プリセット音声データ・パケットを挿入する段階；
又は、デフォルト・フォーマットのＵＭＴＳ ＡＭＲ２に基づいて、前記プリセット音声データ・パケットを挿入する段階
を有することを特徴とする請求項２に記載のネットワーク・ドメインを通知するための方法。
【請求項５】
ユーザ端末によって送信されたサービス要求メッセージを受信するように構成された受信ユニットと、
前記サービス要求メッセージに基づいて、カレント信号接続が、回線交換接続であるかどうかを判断するように構成された判断ユニットと、
前記判断ユニットが、前記カレント信号接続が回線交換接続であると判定する場合、現在前記ユーザ端末をカバーしているネットワーク・ドメインを示すために、通話前にプリセット音声データ・パケットを挿入するように構成された音声挿入ユニットと、
を具備し、
現在前記ユーザ端末をカバーしている前記ネットワーク・ドメインは、アクセス・ポイント・ドメインである
ことを特徴とするアクセス・ポイント。
【請求項６】
前記判断ユニットは、前記サービス要求メッセージ内のコア・ネットワーク・ドメイン識別情報要素、又はドメイン指示子情報要素に基づいて、前記カレント信号接続が回線交換接続かどうかを判断することを特徴とする請求項５に記載のアクセス・ポイント。
【請求項７】
前記アクセス・ポイントは、更に監視ユニットを具備し、
前記監視ユニットは、前記制御プレーンがセットアップされた後、前記判断ユニットが、前記カレント信号接続は回線交換接続であると判定する場合、制御プレーン上のユーザ端末の呼出信号が、レディであるかどうかを確認するとともに、
回線交換ユーザ-プレーン・インスタンス状態が、データ転送レディ状態に変化するかどうか、かつダウンリンク・データ・パケットが、前記ユーザ端末の前記呼出信号がレディになった後、ユーザ・プレーン上に出現するかどうかを確認するように構成され、
前記音声挿入ユニットは、前記回線交換ユーザ-プレーン・インスタンス状態が、前記データ転送レディ状態に変化するか、又はダウンリンク・データ・パケットが前記ユーザ・プレーン上に出現していると、前記監視ユニットが判定する場合、前記ユーザ・プレーンへプリセット音声データ・パケットを挿入するように構成される
ことを特徴とする請求項６に記載のアクセス・ポイント。
【請求項８】
格納された音声データ・パケットのペイロードを前記プリセット音声データ・パケットに加工するとともに、前記音声挿入ユニットへ前記プリセット音声データ・パケットを送信するように構成される構築ユニット
を更に具備することを特徴とする請求項５〜７のいずれか１項に記載のアクセス・ポイント。
【請求項９】
前記音声挿入ユニットは、サービスがセットアップされるとき、両通信者間でのコーディック・フォーマットのネゴシエーション結果に基づいて、対応するフォーマットの前記プリセット音声データ・パケットを挿入する；
又は、デフォルト・フォーマットのＵＭＴＳ ＡＭＲ２に基づいて、前記プリセット音声データ・パケットを挿入する
ことを特徴とする請求項５又は６に記載の無線通信システムのアクセス・ポイント。
【発明の詳細な説明】
【技術分野】
【０００１】
本発明は、通信分野、特に、ネットワーク・ドメインを通知するための方法及びアクセス・ポイント（ＡＰ）に関する。
【０００２】
本出願は、発明の名称を“ネットワーク・ドメインを通知するための方法及びアクセス・ポイント”として中国特許庁に２００９年８月７日に出願された中国特許出願Ｎｏ．２００８１００４１５５６．Ｘの優先権を主張するとともに、その内容は、この引用によって本願明細書に組み込まれる。
【背景技術】
【０００３】
通信技術の発展に伴い、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ） ＡＰのようなＡＰ技術が出現している。実用的アプリケーションにおいて、ＡＰセル・ネットワークは、既存のマクロ・ネットワークと区別される必要があり、その結果、異なるネットワーク間を移動する際の既定の情報に基づいて、ユーザは、現在そのユーザをカバーしているネットワークのタイプを知ることが可能である。現状、ユーザは、ショート・メッセージを送信することによって、現在そのユーザをカバーしているネットワークのタイプを通知される。一例としてＵＭＴＳ ＡＰを取り上げると、通知のための方法は、以下のようである。
【０００４】
ショート・メッセージを送信するための単一機能は、ＵＭＴＳ ＡＰ内で実行される。前記ユーザが前記ＵＭＴＳ ＡＰセルに進入後、前記ＵＭＴＳ ＡＰは、前記ユーザが前記ＵＭＴＳ ＡＰセルに進入していることを示すために、ユーザ端末（ＵＥ）にショート・メッセージを送信する。
【０００５】
前記ＵＭＴＳ ＡＰ内では、ショート・メッセージを送信するための単一機能は、ＮＡＳ（Ｎｏｎ  Ａｃｃｅｓｓ  Ｓｔｒａｔｕｍ）（ＣＰデータ）メッセージの送受信をサポートするように、前記ＵＭＴＳ ＡＰに要求する。前記ＵＭＴＳ ＡＰは、現在そのＵＥをカバーしているネットワークを示すために、直接的に前記ＵＥにショート・メッセージを送信する場合がある。すなわち、そのＵＥが、前記ＵＭＴＳ ＡＰセルに進入する場合、前記ＵＭＴＳ ＡＰは、図１に図示されているように、ＬＡＵ又はＲＡＵ（Ｌｏｃａｔｉｏｎ  Ａｒｅａ  Ｕｐｄａｔｉｎｇ／Ｒｏｕｔｅ  Ａｒｅａ  Ｕｐｄａｔｉｎｇ）の完了後、ロケーション通知メッセージを前記ＵＥに送る。
【０００６】
発明者は、従来技術において、少なくとも以下の問題を認識している。
ユーザが前記ＵＥを介して通話しているとき、現在前記ユーザは、ＡＰセル内又はマクロ・カバレッジ内のどちらに位置しているのか確信を持てない。
【発明の概要】
【発明が解決しようとする課題】
【０００７】
本発明の具体例は、ユーザが現在位置付けされているＡＰセルについて前記ユーザに通知するために、ネットワーク・ドメインとＡＰを通知するための方法を提供することである。
【０００８】
本発明の目的は、以下の技術的解決を使用することによって達成される。
本発明の具体例において提供されるネットワーク・ドメインを通知するための方法は、
ＵＥによって送信されたサービス要求メッセージを受信する段階と、
カレント信号接続が、前記サービス要求メッセージに基づき、ＣＳ（Ｃｉｒｃｕｉｔ  Ｓｗｉｔｃｈｅｄ：回線交換）接続であると判定される場合、現在前記ユーザをカバーしているネットワーク・ドメインを示すために、通話前にプリセット音声データ・パケットを挿入する段階と
を有する。
【０００９】
本発明の具体例において提供されるＡＰは、
ＵＥによって送信されたサービス要求メッセージを受信するように構成された受信ユニットと；
カレント信号接続が、サービス要求メッセージに基づいてＣＳ接続かどうかを判断するように構成された判断ユニットと；
前記判断ユニットが、前記カレント信号接続はＣＳ接続であると判定する場合に、現在前記ＵＥをカバーしているネットワーク・ドメインを示すために、通話前にプリセット音声データ・パケットを挿入するように構成された音声挿入ユニットと
を具備する。
【００１０】
本発明の具体例として、前記ＡＰのセルに進入するＵＥに対し、前記ＵＥの前記ユーザにＵＥがそのＡＰセル内に存在することを示すために、前記ＡＰは音声を通して前記ＵＥのユーザに通知を送信する。
このようにして、前記ユーザは、前記ユーザへ過度の負担をかけることなく、現在の通話に適切な課金ポリシーに気づく。
【図面の簡単な説明】
【００１１】
【図１】図１は、従来技術におけるショート・メッセージを介したネットワーク・ドメインを通知するための方法を示す図である。
【図２】図２は、本発明の実施例に基づいて、ネットワーク・ドメインを通知するための方法を示すフローチャートである。
【図３】図３は、本発明の実施例に基づいて、ネットワーク・ドメインを通知するための方法を示す詳細なフローチャートである。
【図４】図４は、本発明の実施例に基づいて、ＵＭＴＳ ＡＰの構造を示す図である。
【図５】図５は、本発明の実施例に基づいて、ＵＭＴＳ ＡＰの構造を示す図である。
【発明を実施するための形態】
【００１２】
本発明の技術的解決方法、目的、及びメリットをより明確にするために、下記に、更に添付図面を参照にして詳細に本発明の実施例を記載する。
【００１３】
図２に図示されているように、本発明の実施例において提供されるネットワーク・ドメインを通知するための方法は、以下のステップを有する：
ステップ２０１：ＵＥによって送信されたサービス要求メッセージを受信する。
ステップ２０２：カレント信号接続が、サービス要求メッセージに基づいてＣＳ接続であると判定される場合、通話前にプリセット音声データ・パケットを挿入する。
【００１４】
本発明の実施例では、前記ＡＰのセルに進入するＵＥに対して、前記ＡＰは、前記ＵＥのユーザに前記ＵＥがそのＡＰのセル内に存在することを示すために、通話の開始前に音声を通して、前記ＵＥのユーザに通知を送信する。このようにして前記ユーザは、前記ユーザへ過度の負担をかけることなく、現在の通話に適切な課金ポリシーに気づく。
【００１５】
本発明の実施例を記載するための例として、ＵＭＴＳを取り上げる。本発明下の技術的解決方法は、ＧＳＭ（Ｇｌｏｂａｌ Ｓｙｓｔｅｍ Ｆｏｒ Ｍｏｂｉｌｅ Ｃｏｍｍｕｎｉｃａｔｉｏｎｓ）と、ＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）システムと、ＣＤＭＡ（Ｃｏｄｅ  Ｄｉｖｉｓｉｏｎ  Ｍｕｌｔｉｐｌｅ  Ａｃｃｅｓｓ）２０００システムと、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）システムと、ＬＴＥ（Ｌｏｎｇ  Ｔｅｒｍ  Ｅｖｏｌｕｔｉｏｎ）とのような他のシステムにも適用できるということが当業者には理解される。
【００１６】
図３に図示されているように、ＵＭＴＳに適用されているネットワーク・ドメインを通知するための方法は、以下のステップを有する：
ステップ３０１：ＵＭＴＳ ＡＰは、ＵＥによって送信されたサービス要求メッセージを受信する。
ステップ３０２：ＵＭＴＳ ＡＰは、前記サービス要求メッセージ内のＣＮ（Ｃｏｒｅ  Ｎｅｔｗｏｒｋ）ドメイン識別子情報要素、又はドメイン指示子情報要素に基づいて、前記カレント信号接続がＣＳ接続かどうかを判断する。
【００１７】
ステップ３０３：ステップ３０２において、前記カレント信号接続が、ＣＳ接続であると判定される場合、ＵＭＴＳ ＡＰは、ＵＥの呼出信号の状態に関連する信号フローを監視する。制御プレーンが、前記制御プレーン上の前記ＵＥの呼出信号がレディかどうかを確認するためにセットアップされる。
【００１８】
ステップ３０４：ステップ３０３において、制御プレーン上のＵＥの呼出信号がレディであると判定される場合、前記ＵＭＴＳ ＡＰは、前記ＣＳユーザ-プレーン・インスタンス状態が、データ転送レディ状態に変化するどうか、かつダウンリンク・パケットが前記ユーザ・プレーン上に出現するかどうか、を確認するためのＣＳユーザ-プレーン・インスタンス状態を監視する。
【００１９】
ステップ３０５：ステップ３０４において、前記ＵＭＴＳ ＡＰが、ＣＳ無線接続ベアラに関連するユーザ-プレーンのインスタンス状態が、データ転送レディ状態に変化するか、又はダウンリンク・データ・パケットがユーザ・プレーン上に出現すると判定される場合、前記ＵＭＴＳ ＡＰは、前記ユーザ・プレーンにプリセット音声データ・パケットを挿入する。
【００２０】
ステップ３０２において、前記ＵＭＴＳ ＡＰは、ＵＥによってＵＭＴＳ ＡＰに対して送信されたイニシャル・ダイレクト転送メッセージ内のＣＮドメイン識別子に基づくか、又はＵＥによってＵＭＴＳ ＡＰに対して送信されたＲＲＣ接続要求内のドメイン識別子に基づくか、又はＵＭＴＳ ＡＰによってＵＥに対して送信されたダウンリンク・ダイレクト転送メッセージ内のＣＳドメイン識別子と、ＵＥによってＵＭＴＳ ＡＰに対して送信されたアップリンク・ダイレクト転送メッセージ内のＣＳドメイン識別子とに基づいて、前記信号接続がＣＳ接続であるかどうかを判断してもよい。
【００２１】
加えて、ＣＳドメインが接続状態である場合、前記ＵＭＴＳ ＡＰは、ＣＮに送信されるイニシャルＵＥメッセージ内のＣＮドメイン識別子情報要素を介して、信号接続はＣＳ接続であることを示す。それゆえ、前記ＵＭＴＳ ＡＰは、イニシャルＵＥメッセージ内のＣＮドメイン指示子情報要素に基づいて、信号接続がＣＳ接続かどうかを判断してもよい。
【００２２】
本発明の実施例では、前記ＡＰのセルに進入するＵＥに対して、前記ＡＰは、前記ＵＥが前記ＡＰのセルに存在することを前記ＵＥのユーザに示すために、発呼者と被呼者の間で通話を開始する前に、音声を通して前記ＵＥのユーザへの通知を送信する。このようにして、前記ユーザは、前記ユーザへ過度の負担をかけることなく、現在の通話に適切な課金ポリシーに気づく。
【００２３】
本発明の実施例では、前記プリセット音声データ・パケットは、ＡＰ内で予め獲得され、かつ格納されてもよい。前記プリセット音声データ・パケットは、２つの方法を使用することによって、獲得される：
【００２４】
方法１：前記プリセット音声データ・パケットは、オンライン・パケット・キャプチャによって、獲得してもよい：
１）本発明の実行の前に、ＵＥがＣＳセッションを実行するとき、前記ＵＥの相手側装置（すなわち、別のＵＥ又はコア・ネットワーク）は、音声を再生する。
２）前記ＡＰは、前述のステップにおいて、再生された前記音声の音声データ・パケットを獲得するとともに、音声データ・パケットに対応するペイロードを回収し、かつ前記ペイロードを格納する。
【００２５】
方法２：ＡＭＲ（Ａｄａｐｔｉｖｅ  Ｍｕｌｔｉ−Ｒａｔｅ）音声生成部は、要求レートの前記音声データ・パケットを獲得するために使用される。
フォーマット関連のオペレーションは、２つの場合において、前記音声データ・パケット上で実行される：
異なるフォーマットの固定音声データ・パケットが、予めＡＰ内に格納されている；又は、前記音声データ・パケットが、明確なフォーマットで送信される。
【００２６】
前記音声データ・パケットのフォーマッティングにおけるフォーマット選択は、２つのシナリオに至る。
（１）サービスがセットアップされるとき、対応フォーマットのデータが、両通信者間でのコーディック・フォーマットのネゴシエーション結果に基づいて、挿入される。有効なコーディングのフォーマットは、ＴｒＦＯ（Ｔｒａｎｓｃｏｄｅｒ−Ｆｒｅｅ  Ｏｐｅｒａｔｉｏｎ）ネゴシエーション・メッセージ、又はＴＦＯ（Ｔａｎｄｅｍ−Ｆｒｅｅ  Ｏｐｅｒａｔｉｏｎ）メッセージを構文解析することによって決めてもよい。
（２）対応フォーマットのデータは、デフォルト・フォーマットであるＵＭＴＳ ＡＭＲ２を使用することによって、ＵＭＴＳ内に挿入される。
【００２７】
さらに、オンライン・パケット・キャプチャの方法を使用することによって、前記音声データ・パケットを格納する次の処理において、前記ＡＰがデータに挿入される必要があるとき、前記ＡＰは、格納されたペイロードを音声データ・パケットに加工するとともに、その後、前記ＵＥに前記音声データ・パケットを送信する。
【００２８】
図４に図示されるように、本発明の実施例中に提供されるＵＭＴＳ ＡＰは、受信ユニット４０１、判断ユニット４０２、音声挿入ユニット４０３を具備している。
【００２９】
受信ユニット４０１は、ＵＥによって送信されるサービス要求メッセージを受信するように構成されている。
判断ユニット４０２は、サービス要求メッセージに基づいて、カレント信号接続がＣＳ接続かどうかを判断するように構成されている。
【００３０】
特に、前記判断ユニット４０２は、前記ＵＥによって送信されたサービス要求メッセージと、前記ＵＥと前記ＡＰの間のダイレクト転送メッセージと、前記ＡＰによって構築されたＵＥイニシャル・メッセージ内の前記ＣＮドメイン指示子等とに基づいて、前記カレント信号接続がＣＳ接続かどうかを判断するように構成される。判断の明確な根拠については、ネットワーク・ドメインを通知するための方法の上記の実施例における記載を参照。
【００３１】
前記判断ユニット４０２が、前記カレント信号接続がＣＳ接続であると判定する場合、前記音声挿入ユニット４０３は、通話前にプリセット音声データ・パケットを挿入するように構成されている。
【００３２】
図５に図示されているように、この実施例におけるＵＭＴＳ ＡＰは、受信ユニット４０１、判断ユニット４０２、及び音声挿入ユニット４０３に加えて、監視ユニット４０４を具備している。
【００３３】
特に、前記制御プレーンのセットアップ中又は後に、及び前記ユーザ・プレーンのセットアップ中又は後に、監視ユニット４０４は、前記判断ユニット４０２が、カレント信号接続がＣＳ接続であると判定する場合、前記制御プレーン上の前記ＵＥの呼出信号がレディかどうかを確認するように構成されるとともに、前記ＣＳユーザ-プレーン・インスタンス状態が、レディかどうか、かつダウンリンク・データ・パケットが、ＵＥの呼出信号がレディであると検知された後、ユーザ・プレーン上に出現するかどうかを確認するために前記ＣＳユーザ-プレーン・インスタンス状態を監視するように構成されている。
【００３４】
特に、前記音声挿入ユニット４０３は、前記監視ユニットが、ＣＳ無線接続ベアラに関連するユーザ-プレーンの前記インスタンス状態が、データ転送レディ状態へ変化すること、又は前記ユーザ・プレーン上にダウンリンク・データ・パケットが出現することを検知する場合、前記ユーザ・プレーンへプリセット音声データ・パケットを挿入するように構成されている。
【００３５】
この実施例において前記ＵＭＴＳ ＡＰのセルに進入するＵＥに対し、前記ＵＭＴＳ ＡＰは、前記ユーザが前記ＵＭＴＳ ＡＰのセル内に存在することを示すために、前記発呼者と前記被呼者との間で通話を開始する前に、音声を通して前記ＵＥの前記ユーザに通知を送信する。このようにして、前記ユーザは、前記ユーザへ過度の負担をかけることなく、現在の通話に適切な課金ポリシーに気づく。
【００３６】
更に、図５に図示されているように、前記ＵＭＴＳ ＡＰは、格納された音声データ・パケットのペイロードをプリセット音声データ・パケットに加工するとともに、前記音声挿入ユニット４０３へ前記プリセット音声データ・パケットを送信するように構成される構築ユニット４０５を具備している。
【００３７】
前記音声挿入ユニット４０３は更に、サービスをセットアップするとき、両通信者間でのコーディック・フォーマットのネゴシエーション結果に基づいて、対応するフォーマットのプリセット音声データ・パケットを挿入するか、又はデフォルト・フォーマットであるＵＭＴＳ ＡＭＲ２に基づいてプリセット音声データ・パケットを挿入するように構成されている。
【００３８】
この実施例において前記ＵＭＴＳ ＡＰのセルに進入するＵＥに対し、前記ＵＭＴＳ ＡＰは、前記ユーザが前記ＵＭＴＳ ＡＰのセル内に存在することを示すために、前記発呼者と前記被呼者との間で通話を開始する前に、音声を通して前記ユーザに通知を送信する。このようにして、前記ユーザは、前記ユーザへ過度の負担をかけることなく、現在の通話に適切な課金ポリシーに気づく。
【００３９】
図４及び図５に図示されたＡＰは、ＵＭＴＳシステム内のＡＰ、又はＧＳＭ、ＴＤ−ＳＣＤＭＡシステム、ＣＤＭＡ２０００システム、ＷｉＭＡＸシステム、及びＬＴＥシステムのような他のシステム内のＡＰであってもよいことに留意すべきである。当業者には、任意の上記の実施例に基づく方法のステップの全部又は一部が、適切なハードウェアに命令するプログラムによって実行されることが理解される。前記プログラムは、コンピュータ可読なストレージ媒体に格納されうる。前記プログラムの実行時、少なくとも以下のステップが実行される：
ＵＥによって送信されたサービス要求メッセージを受信するステップ；
及び、
サービス要求メッセージに基づいて前記カレント信号接続がＣＳ接続であると判定される場合、現在前記ＵＥをカバーしているネットワーク・ドメインを示すために、通話前にプリセット音声データ・パケットを挿入するステップ。
【００４０】
前記ストレージ媒体は、読み出し専用メモリ（ＲＯＭ）、磁気ディスク、又は読み出し専用コンパクト・ディスク（ＣＤ-ＲＯＭ（登録商標））でもよい。
【００４１】
上述の詳細は、本発明におけるネットワーク・ドメイン及びＡＰを通知するための方法である。本発明は、いくつかの代表的な実施例を通して記載されているが、本発明は、そのような実施例に限定されない。当業者は、本発明の精神及び範囲を逸脱することなく、本発明を変形又は改良できる。本発明は、以降の特許請求の範囲によって定義された保護範囲、又はその均等の範囲に属するように構成された変形及び改良をカバーすることを意図する。
【符号の説明】
【００４２】
４０１  受信ユニット
４０２  判断ユニット
４０３  音声挿入ユニット
４０４  監視ユニット
４０５  構築ユニット
【図１】
2011530249.tif 000003
【図２】
2011530249.tif 000004
【図３】
2011530249.tif 000005
【図４】
2011530249.tif 000006
【図５】
2011530249.tif 000007
【手続補正書】
【提出日】平成23年3月1日(2011.3.1)
【手続補正１】
【補正対象書類名】明細書
【補正対象項目名】全文
【補正方法】変更
【補正の内容】
【発明の詳細な説明】
【技術分野】
【０００１】
本発明は、通信分野、特に、ネットワーク・ドメインを通知するための方法及びアクセス・ポイント（ＡＰ）に関する。
【背景技術】
【０００２】
通信技術の発展に伴い、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ） ＡＰのようなＡＰ技術が出現している。実用的アプリケーションにおいて、ＡＰセル・ネットワークは、既存のマクロ・ネットワークと区別される必要があり、その結果、異なるネットワーク間を移動する際の既定の情報に基づいて、ユーザは、現在そのユーザをカバーしているネットワークのタイプを知ることが可能である。現状、ユーザは、ショート・メッセージを送信することによって、現在そのユーザをカバーしているネットワークのタイプを通知される。一例としてＵＭＴＳ ＡＰを取り上げると、通知のための方法は、以下のようである。
【０００３】
ショート・メッセージを送信するための単一機能は、ＵＭＴＳ ＡＰ内で実行される。前記ユーザが前記ＵＭＴＳ ＡＰセルに進入後、前記ＵＭＴＳ ＡＰは、前記ユーザが前記ＵＭＴＳ ＡＰセルに進入していることを示すために、ユーザ端末（ＵＥ）にショート・メッセージを送信する。
【０００４】
前記ＵＭＴＳ ＡＰ内では、ショート・メッセージを送信するための単一機能は、ＮＡＳ（Ｎｏｎ  Ａｃｃｅｓｓ  Ｓｔｒａｔｕｍ）（ＣＰデータ）メッセージの送受信をサポートするように、前記ＵＭＴＳ ＡＰに要求する。前記ＵＭＴＳ ＡＰは、現在そのＵＥをカバーしているネットワークを示すために、直接的に前記ＵＥにショート・メッセージを送信する場合がある。すなわち、そのＵＥが、前記ＵＭＴＳ ＡＰセルに進入する場合、前記ＵＭＴＳ ＡＰは、図１に図示されているように、ＬＡＵ又はＲＡＵ（Ｌｏｃａｔｉｏｎ  Ａｒｅａ  Ｕｐｄａｔｉｎｇ／Ｒｏｕｔｅ  Ａｒｅａ  Ｕｐｄａｔｉｎｇ）の完了後、ロケーション通知メッセージを前記ＵＥに送る。
【０００５】
従来技術には、少なくとも以下の問題がある。
ユーザが前記ＵＥを介して通話しているとき、現在前記ユーザは、ＡＰセル内又はマクロ・カバレッジ内のどちらに位置しているのか確信を持てない。
【発明の概要】
【発明が解決しようとする課題】
【０００６】
本発明の具体例は、ユーザが現在位置付けされているＡＰセルについて前記ユーザに通知するために、ネットワーク・ドメインとＡＰを通知するための方法を提供することである。
【０００７】
本発明の目的は、以下の技術的解決を使用することによって達成される。
本発明の具体例において提供されるネットワーク・ドメインを通知するための方法は、
ＵＥによって送信されたサービス要求メッセージを、ＡＰ（Ａｃｃｅｓｓ  Ｐｏｉｎｔ）によって受信する段階と、
カレント信号接続が、前記サービス要求メッセージに基づき、ＣＳ（Ｃｉｒｃｕｉｔ  Ｓｗｉｔｃｈｅｄ：回線交換）接続であると判定される場合、現在前記ユーザをカバーしているネットワーク・ドメインを前記ＵＥの前記ユーザに示すために、通話前にプリセット音声データ・パケットを前記ＡＰによってユーザ・プレーンに挿入する段階と
を有する。
【０００８】
本発明の具体例において提供されるＡＰは、
ＵＥによって送信されたサービス要求メッセージを受信するように構成された受信ユニットと；
カレント信号接続が、サービス要求メッセージに基づいてＣＳ接続かどうかを判断するように構成された判断ユニットと；
前記判断ユニットが、前記カレント信号接続はＣＳ接続であると判定する場合に、現在前記ＵＥをカバーしているネットワーク・ドメインを前記ＵＥの前記ユーザに示すために、通話前にプリセット音声データ・パケットをユーザ・プレーンに挿入するように構成された音声挿入ユニットと
を具備する。
【０００９】
本発明の具体例として、前記ＡＰのセルに進入するＵＥに対し、前記ＵＥの前記ユーザにＵＥがそのＡＰセル内に存在することを示すために、前記ＡＰは音声を通して前記ＵＥのユーザに通知を送信する。
このようにして、前記ユーザは、前記ユーザへ過度の負担をかけることなく、現在の通話に適切な課金ポリシーに気づく。
【図面の簡単な説明】
【００１０】
【図１】図１は、従来技術におけるショート・メッセージを介したネットワーク・ドメインを通知するための方法を示す図である。
【図２】図２は、本発明の実施例に基づいて、ネットワーク・ドメインを通知するための方法を示すフローチャートである。
【図３】図３は、本発明の実施例に基づいて、ネットワーク・ドメインを通知するための方法を示す詳細なフローチャートである。
【図４】図４は、本発明の実施例に基づいて、ＵＭＴＳ ＡＰの構造を示す図である。
【図５】図５は、本発明の実施例に基づいて、ＵＭＴＳ ＡＰの構造を示す図である。
【発明を実施するための形態】
【００１１】
本発明の技術的解決方法、目的、及びメリットをより明確にするために、下記に、更に添付図面を参照にして詳細に本発明の実施例を記載する。
【００１２】
図２に図示されているように、本発明の実施例において提供されるネットワーク・ドメインを通知するための方法は、以下のステップを有する：
ステップ２０１：ＵＥによって送信されたサービス要求メッセージを受信する。
ステップ２０２：カレント信号接続が、サービス要求メッセージに基づいてＣＳ接続であると判定される場合、通話前にプリセット音声データ・パケットを挿入する。
【００１３】
本発明の実施例では、前記ＡＰのセルに進入するＵＥに対して、前記ＡＰは、前記ＵＥのユーザに前記ＵＥがそのＡＰのセル内に存在することを示すために、通話の開始前に音声を通して、前記ＵＥのユーザに通知を送信する。このようにして前記ユーザは、前記ユーザへ過度の負担をかけることなく、現在の通話に適切な課金ポリシーに気づく。
【００１４】
本発明の実施例を記載するための例として、ＵＭＴＳを取り上げる。本発明下の技術的解決方法は、ＧＳＭ（Ｇｌｏｂａｌ Ｓｙｓｔｅｍ Ｆｏｒ Ｍｏｂｉｌｅ Ｃｏｍｍｕｎｉｃａｔｉｏｎｓ）と、ＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）システムと、ＣＤＭＡ（Ｃｏｄｅ  Ｄｉｖｉｓｉｏｎ  Ｍｕｌｔｉｐｌｅ  Ａｃｃｅｓｓ）２０００システムと、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）システムと、ＬＴＥ（Ｌｏｎｇ  Ｔｅｒｍ  Ｅｖｏｌｕｔｉｏｎ）とのような他のシステムにも適用できるということが当業者には理解される。
【００１５】
図３に図示されているように、ＵＭＴＳに適用されているネットワーク・ドメインを通知するための方法は、以下のステップを有する：
ステップ３０１：ＵＭＴＳ ＡＰは、ＵＥによって送信されたサービス要求メッセージを受信する。
ステップ３０２：ＵＭＴＳ ＡＰは、前記サービス要求メッセージ内のＣＮ（Ｃｏｒｅ  Ｎｅｔｗｏｒｋ）ドメイン識別子情報要素、又はドメイン指示子情報要素に基づいて、前記カレント信号接続がＣＳ接続かどうかを判断する。
【００１６】
ステップ３０３：ステップ３０２において、前記カレント信号接続が、ＣＳ接続であると判定される場合、ＵＭＴＳ ＡＰは、ＵＥの呼出信号の状態に関連する信号フローを監視する。制御プレーンが、前記制御プレーン上の前記ＵＥの呼出信号がレディかどうかを確認するためにセットアップされる。
【００１７】
ステップ３０４：ステップ３０３において、制御プレーン上のＵＥの呼出信号がレディであると判定される場合、前記ＵＭＴＳ ＡＰは、前記ＣＳユーザ-プレーン・インスタンス状態が、データ転送レディ状態に変化するどうか、かつダウンリンク・パケットが前記ユーザ・プレーン上に出現するかどうか、を確認するためのＣＳユーザ-プレーン・インスタンス状態を監視する。
【００１８】
ステップ３０５：ステップ３０４において、前記ＵＭＴＳ ＡＰが、ＣＳ無線接続ベアラに関連するユーザ-プレーンのインスタンス状態が、データ転送レディ状態に変化するか、又はダウンリンク・データ・パケットがユーザ・プレーン上に出現すると判定される場合、前記ＵＭＴＳ ＡＰは、前記ユーザ・プレーンにプリセット音声データ・パケットを挿入する。
【００１９】
ステップ３０２において、前記ＵＭＴＳ ＡＰは、ＵＥによってＵＭＴＳ ＡＰに対して送信されたイニシャル・ダイレクト転送メッセージ内のＣＮドメイン識別子に基づくか、又はＵＥによってＵＭＴＳ ＡＰに対して送信されたＲＲＣ接続要求内のドメイン識別子に基づくか、又はＵＭＴＳ ＡＰによってＵＥに対して送信されたダウンリンク・ダイレクト転送メッセージ内のＣＳドメイン識別子と、ＵＥによってＵＭＴＳ ＡＰに対して送信されたアップリンク・ダイレクト転送メッセージ内のＣＳドメイン識別子とに基づいて、前記信号接続がＣＳ接続であるかどうかを判断してもよい。
【００２０】
加えて、ＣＳドメインが接続状態である場合、前記ＵＭＴＳ ＡＰは、ＣＮに送信されるイニシャルＵＥメッセージ内のＣＮドメイン識別子情報要素を介して、信号接続はＣＳ接続であることを示す。それゆえ、前記ＵＭＴＳ ＡＰは、イニシャルＵＥメッセージ内のＣＮドメイン指示子情報要素に基づいて、信号接続がＣＳ接続かどうかを判断してもよい。
【００２１】
本発明の実施例では、前記ＡＰのセルに進入するＵＥに対して、前記ＡＰは、前記ＵＥが前記ＡＰのセルに存在することを前記ＵＥのユーザに示すために、発呼者と被呼者の間で通話を開始する前に、音声を通して前記ＵＥのユーザへの通知を送信する。このようにして、前記ユーザは、前記ユーザへ過度の負担をかけることなく、現在の通話に適切な課金ポリシーに気づく。
【００２２】
本発明の実施例では、前記プリセット音声データ・パケットは、ＡＰ内で予め獲得され、かつ格納されてもよい。前記プリセット音声データ・パケットは、２つの方法を使用することによって、獲得される：
【００２３】
方法１：前記プリセット音声データ・パケットは、オンライン・パケット・キャプチャによって、獲得してもよい：
１）本発明の実行の前に、ＵＥがＣＳセッションを実行するとき、前記ＵＥの相手側装置（すなわち、別のＵＥ又はコア・ネットワーク）は、音声を再生する。
２）前記ＡＰは、前述のステップにおいて、再生された前記音声の音声データ・パケットを獲得するとともに、音声データ・パケットに対応するペイロードを回収し、かつ前記ペイロードを格納する。
【００２４】
方法２：ＡＭＲ（Ａｄａｐｔｉｖｅ  Ｍｕｌｔｉ−Ｒａｔｅ）音声生成部は、要求レートの前記音声データ・パケットを獲得するために使用される。
フォーマット関連のオペレーションは、２つの場合において、前記音声データ・パケット上で実行される：
異なるフォーマットの固定音声データ・パケットが、予めＡＰ内に格納されている；又は、前記音声データ・パケットが、明確なフォーマットで送信される。
【００２５】
前記音声データ・パケットのフォーマッティングにおけるフォーマット選択は、２つのシナリオに至る。
（１）サービスがセットアップされるとき、対応フォーマットのデータが、両通信者間でのコーディック・フォーマットのネゴシエーション結果に基づいて、挿入される。有効なコーディングのフォーマットは、ＴｒＦＯ（Ｔｒａｎｓｃｏｄｅｒ−Ｆｒｅｅ  Ｏｐｅｒａｔｉｏｎ）ネゴシエーション・メッセージ、又はＴＦＯ（Ｔａｎｄｅｍ−Ｆｒｅｅ  Ｏｐｅｒａｔｉｏｎ）メッセージを構文解析することによって決めてもよい。
（２）対応フォーマットのデータは、デフォルト・フォーマットであるＵＭＴＳ ＡＭＲ２を使用することによって、ＵＭＴＳ内に挿入される。
【００２６】
さらに、オンライン・パケット・キャプチャの方法を使用することによって、前記音声データ・パケットを格納する次の処理において、前記ＡＰがデータに挿入される必要があるとき、前記ＡＰは、格納されたペイロードを音声データ・パケットに加工するとともに、その後、前記ＵＥに前記音声データ・パケットを送信する。
【００２７】
図４に図示されるように、本発明の実施例中に提供されるＵＭＴＳ ＡＰは、受信ユニット４０１、判断ユニット４０２、音声挿入ユニット４０３を具備している。
【００２８】
受信ユニット４０１は、ＵＥによって送信されるサービス要求メッセージを受信するように構成されている。
判断ユニット４０２は、サービス要求メッセージに基づいて、カレント信号接続がＣＳ接続かどうかを判断するように構成されている。
【００２９】
特に、前記判断ユニット４０２は、前記ＵＥによって送信されたサービス要求メッセージと、前記ＵＥと前記ＡＰの間のダイレクト転送メッセージと、前記ＡＰによって構築されたＵＥイニシャル・メッセージ内の前記ＣＮドメイン指示子等とに基づいて、前記カレント信号接続がＣＳ接続かどうかを判断するように構成される。判断の明確な根拠については、ネットワーク・ドメインを通知するための方法の上記の実施例における記載を参照。
【００３０】
前記判断ユニット４０２が、前記カレント信号接続がＣＳ接続であると判定する場合、前記音声挿入ユニット４０３は、通話前にプリセット音声データ・パケットを挿入するように構成されている。
【００３１】
図５に図示されているように、この実施例におけるＵＭＴＳ ＡＰは、受信ユニット４０１、判断ユニット４０２、及び音声挿入ユニット４０３に加えて、監視ユニット４０４を具備している。
【００３２】
特に、前記制御プレーンのセットアップ中又は後に、及び前記ユーザ・プレーンのセットアップ中又は後に、監視ユニット４０４は、前記判断ユニット４０２が、カレント信号接続がＣＳ接続であると判定する場合、前記制御プレーン上の前記ＵＥの呼出信号がレディかどうかを確認するように構成されるとともに、前記ＣＳユーザ-プレーン・インスタンス状態が、レディかどうか、かつダウンリンク・データ・パケットが、ＵＥの呼出信号がレディであると検知された後、ユーザ・プレーン上に出現するかどうかを確認するために前記ＣＳユーザ-プレーン・インスタンス状態を監視するように構成されている。
【００３３】
特に、前記音声挿入ユニット４０３は、前記監視ユニットが、ＣＳ無線接続ベアラに関連するユーザ-プレーンの前記インスタンス状態が、データ転送レディ状態へ変化すること、又は前記ユーザ・プレーン上にダウンリンク・データ・パケットが出現することを検知する場合、前記ユーザ・プレーンへプリセット音声データ・パケットを挿入するように構成されている。
【００３４】
この実施例において前記ＵＭＴＳ ＡＰのセルに進入するＵＥに対し、前記ＵＭＴＳ ＡＰは、前記ユーザが前記ＵＭＴＳ ＡＰのセル内に存在することを示すために、前記発呼者と前記被呼者との間で通話を開始する前に、音声を通して前記ＵＥの前記ユーザに通知を送信する。このようにして、前記ユーザは、前記ユーザへ過度の負担をかけることなく、現在の通話に適切な課金ポリシーに気づく。
【００３５】
更に、図５に図示されているように、前記ＵＭＴＳ ＡＰは、格納された音声データ・パケットのペイロードをプリセット音声データ・パケットに加工するとともに、前記音声挿入ユニット４０３へ前記プリセット音声データ・パケットを送信するように構成される構築ユニット４０５を具備している。
【００３６】
前記音声挿入ユニット４０３は更に、サービスをセットアップするとき、両通信者間でのコーディック・フォーマットのネゴシエーション結果に基づいて、対応するフォーマットのプリセット音声データ・パケットを挿入するか、又はデフォルト・フォーマットであるＵＭＴＳ ＡＭＲ２に基づいてプリセット音声データ・パケットを挿入するように構成されている。
【００３７】
この実施例において前記ＵＭＴＳ ＡＰのセルに進入するＵＥに対し、前記ＵＭＴＳ ＡＰは、前記ユーザが前記ＵＭＴＳ ＡＰのセル内に存在することを示すために、前記発呼者と前記被呼者との間で通話を開始する前に、音声を通して前記ユーザに通知を送信する。このようにして、前記ユーザは、前記ユーザへ過度の負担をかけることなく、現在の通話に適切な課金ポリシーに気づく。
【００３８】
図４及び図５に図示されたＡＰは、ＵＭＴＳシステム内のＡＰ、又はＧＳＭ、ＴＤ−ＳＣＤＭＡシステム、ＣＤＭＡ２０００システム、ＷｉＭＡＸシステム、及びＬＴＥシステムのような他のシステム内のＡＰであってもよいことに留意すべきである。当業者には、任意の上記の実施例に基づく方法のステップの全部又は一部が、適切なハードウェアに命令するプログラムによって実行されることが理解される。前記プログラムは、コンピュータ可読なストレージ媒体に格納されうる。前記プログラムの実行時、少なくとも以下のステップが実行される：
ＵＥによって送信されたサービス要求メッセージを受信するステップ；
及び、
サービス要求メッセージに基づいて前記カレント信号接続がＣＳ接続であると判定される場合、現在前記ＵＥをカバーしているネットワーク・ドメインを示すために、通話前にプリセット音声データ・パケットを挿入するステップ。
【００３９】
前記ストレージ媒体は、読み出し専用メモリ（ＲＯＭ）、磁気ディスク、又は読み出し専用コンパクト・ディスク（ＣＤ-ＲＯＭ（登録商標））でもよい。
【００４０】
上述の詳細は、本発明におけるネットワーク・ドメイン及びＡＰを通知するための方法である。本発明は、いくつかの代表的な実施例を通して記載されているが、本発明は、そのような実施例に限定されない。当業者は、本発明の範囲を逸脱することなく、本発明を変形又は改良できる。本発明は、以降の特許請求の範囲によって定義された保護範囲、又はその均等の範囲に属するように構成された変形及び改良をカバーすることを意図する。
【符号の説明】
【００４１】
４０１  受信ユニット
４０２  判断ユニット
４０３  音声挿入ユニット
４０４  監視ユニット
４０５  構築ユニット
【手続補正２】
【補正対象書類名】特許請求の範囲
【補正対象項目名】全文
【補正方法】変更
【補正の内容】
【特許請求の範囲】
【請求項１】
ネットワーク・ドメインを通知する方法であって、
ユーザ端末によって送信されるサービス要求メッセージを、アクセス・ポイントによって受信する段階と、
前記サービス要求メッセージに基づき、カレント信号接続が、回線交換接続であると判定される場合、現在前記ユーザ端末をカバーしているネットワーク・ドメインを前記ユーザ端末の前記ユーザに示すために、通話前にプリセット音声データ・パケットを前記アクセス・ポイントによってユーザ・プレーンに挿入する段階と
を有し、
現在前記ユーザ端末をカバーしている前記ネットワーク・ドメインは、アクセス・ポイント・ドメインである
ことを特徴とする方法。
【請求項２】
前記サービス要求メッセージ内のコア・ネットワーク・ドメイン識別子情報要素、又はドメイン指示子情報要素に基づき、前記カレント信号接続が回線交換接続であるかどうかを前記アクセス・ポイントによって判定することを特徴とする請求項１に記載の方法。
【請求項３】
前記プリセット音声データ・パケットをユーザ・プレーンに挿入するステップの前に、
前記カレント信号接続が回線交換接続である場合、制御プレーン上の前記ユーザ端末の呼出信号がレディであるかどうかを、前記制御プレーンがセットアップされた後に前記アクセス・ポイントによって確認する段階と；
回線交換ユーザ-プレーン・インスタンス状態が、データ転送レディ状態に変化するかどうか、かつダウンリンク・データ・パケットが、ユーザ・プレーン上に出現するかどうかを前記ユーザ端末の呼出信号がレディであることを検出した場合には前記アクセス・ポイントによって確認する段階と；
を更に有し、
前記回線交換ユーザ-プレーン・インスタンス状態が、前記データ転送レディ状態に変化する場合、又は前記ダウンリンク・データ・パケットが、前記ユーザ・プレーン上に出現する場合、前記ユーザ・プレーンに前記プリセット音声データ・パケットを挿入するステップが実行される
ことを特徴とする請求項１又は２に記載のネットワーク・ドメインを通知するための方法。
【請求項４】
前記ユーザ・プレーンに前記プリセット音声データ・パケットを挿入するステップの前に、
格納された音声データ・パケットのペイロードを前記アクセス・ポイントによって前記プリセット音声データ・パケットに加工する段階
を更に有することを特徴とする請求項３に記載のネットワーク・ドメインを通知するための方法。
【請求項５】
前記ユーザ・プレーンに前記プリセット音声データ・パケットを挿入するステップは、
サービスがセットアップされるとき、両通信者間でのコーディック・フォーマットのネゴシエーション結果に基づいて、対応するフォーマットの前記プリセット音声データ・パケットを挿入する段階；
を有することを特徴とする請求項３に記載のネットワーク・ドメインを通知するための方法。
【請求項６】
前記ユーザ・プレーンに前記プリセット音声データ・パケットを挿入するステップは、
デフォルト・フォーマットのＵＭＴＳ ＡＭＲ２に基づいて、前記プリセット音声データ・パケットを挿入する段階
を有することを特徴とする請求項３に記載のネットワーク・ドメインを通知するための方法。
【請求項７】
ユーザ端末によって送信されたサービス要求メッセージを受信するように構成された受信ユニットと、
前記サービス要求メッセージに基づいて、カレント信号接続が、回線交換接続であるかどうかを判断するように構成された判断ユニットと、
前記判断ユニットが、前記カレント信号接続が回線交換接続であると判定する場合、現在前記ユーザ端末をカバーしているネットワーク・ドメインを前記ユーザ端末の前記ユーザに示すために、通話前にプリセット音声データ・パケットをユーザ・プレーンに挿入するように構成された音声挿入ユニットと、
を具備し、
現在前記ユーザ端末をカバーしている前記ネットワーク・ドメインは、アクセス・ポイント・ドメインである
ことを特徴とするアクセス・ポイント。
【請求項８】
前記判断ユニットは、前記サービス要求メッセージ内のコア・ネットワーク・ドメイン識別情報要素、又はドメイン指示子情報要素に基づいて、前記カレント信号接続が回線交換接続かどうかを判断することを特徴とする請求項７に記載のアクセス・ポイント。
【請求項９】
前記アクセス・ポイントは、更に監視ユニットを具備し、
前記監視ユニットは、前記制御プレーンがセットアップされた後、前記判断ユニットが、前記カレント信号接続は回線交換接続であると判定する場合、制御プレーン上のユーザ端末の呼出信号が、レディであるかどうかを確認するとともに、
回線交換ユーザ-プレーン・インスタンス状態が、データ転送レディ状態に変化するかどうか、かつダウンリンク・データ・パケットが、前記ユーザ端末の前記呼出信号がレディになった後、ユーザ・プレーン上に出現するかどうかを確認するように構成され、
前記音声挿入ユニットは、前記回線交換ユーザ-プレーン・インスタンス状態が、前記データ転送レディ状態に変化するか、又はダウンリンク・データ・パケットが前記ユーザ・プレーン上に出現していると、前記監視ユニットが判定する場合、前記ユーザ・プレーンへプリセット音声データ・パケットを挿入するように構成される
ことを特徴とする請求項７に記載のアクセス・ポイント。
【請求項１０】
格納された音声データ・パケットのペイロードを前記プリセット音声データ・パケットに加工するとともに、前記音声挿入ユニットへ前記プリセット音声データ・パケットを送信するように構成される構築ユニット
を更に具備することを特徴とする請求項７〜９のいずれか１項に記載のアクセス・ポイント。
【請求項１１】
前記音声挿入ユニットは、サービスがセットアップされるとき、両通信者間でのコーディック・フォーマットのネゴシエーション結果に基づいて、対応するフォーマットの前記プリセット音声データ・パケットを挿入する
ことを特徴とする請求項７又は８に記載のアクセス・ポイント。
【請求項１２】
前記音声挿入ユニットは、デフォルト・フォーマットのＵＭＴＳ ＡＭＲ２に基づいて、前記プリセット音声データ・パケットを挿入する
ことを特徴とする請求項７又は８に記載のアクセス・ポイント。
【国際調査報告】
2011530249.tif 000008
2011530249.tif 000009
2011530249.tif 000010
2011530249.tif 000011